(57)【特許請求の範囲】
【請求項１】
舵取前輪８と首振後輪２０を有し、ベース１を左右に揺動させて蛇行推進するものに於いて、該ベース１の後方に配設された首振軸２４に回転阻止手段が設けられ、この回転阻止手段に裏に板ばねが設けられたレバー式の足操作体が結合され、該足操作体の裏に非回転昇降体が設けられ、該首振軸の上部に嵌合部が設けられ、足操作体が踏み下げられることによって該非回転昇降体と該嵌合部が勘合することで、回転阻止手段をオン・オフしうるようになされたことを特徴とするスケーター
【請求項２】
舵取前輪８と首振後輪20を有し、ベース１を左右に揺動させて蛇行推進するものに於いて、該ベース１の後方に配設された首振軸２４に回転阻止手段が設けられ、この回転阻止手段にベースの上面を動くスライドプレート形状の足操作体が結合され、該足操作体は丸穴とこれとつながった長孔とを有しており、この孔が首振軸の上部に形成された並行頭軸と噛合わされており、丸孔が首振軸の回転を許容し、長孔が首振軸の回転を阻止しうるものであって、足操作体が足でスライドさせられて丸孔と長孔とを（又は平行頭軸と噛合う孔を）切り換えられうることにより回転阻止手段をオン・オフしうるようになされたことを特徴とするスケーター
【請求項３】
上記首振後輪２０を首振自在に保持する首振軸２４が上下運動可能となされ、後輪２０に接触し、転動を阻止しうるようになされたことを特徴とする請求項１に記載のスケーター
【請求項４】
上記首振後輪２０が双輪となされ、首振軸２４とで双輪キャスターを形成していることを特徴とする請求項１乃至３に記載のスケーター
【発明の詳細な説明】
【０００１】
【発明の属する技術分野】
この発明は、片足を載せて地面を蹴って走ったり、両足を載せたままで駆動したりするスケーターに関している。
詳しくは、ハンドル或いはスティックがあって前輪による方向変換ができ、後輪を首振駆動もしくはストッパーロックすることのできる車輪走行のスケーターに関している。
更に詳しくは、ハンドルに手を掛け、脚や腰を左右に振り、車体及び後輪を魚の尾びれのように動かして蛇行推進することのできるスケーターに関している。
【０００２】
【従来の技術】
従来のスケーターとしては、特開平７−５９８９８号の如く、車体の進行方向に対し首振自在に支承されてなる一個もしくは複数個の蛇行推進車輪と、後転時の逆転を阻止する一方向回転手段を持つ間歇駆動車輪と、この車輪を前記車体に対して揺動運動させる駆動ハンドルとの３点を構成要件とする全輪駆動式遊戯走行車が知られている。
【０００３】
また、折畳ウェーデルンスケボー（実開平７−２７６５４号）やブレーキ付自走運動具（実開平７−２７６５５号）や手綱操向自走車（実開平７−２７６５６号）などが知られている。
【０００４】
【発明が解決しようとする課題】
従来の技術で述べたものでは後輪の首振りを常に許しているから旋回時に後輪が横流れしてうまく曲がり切れず、落車したり転倒したりする虞れがあった。
また、キックスケーターのように片足で地面を蹴って走行する際にも、後輪が右に振れたり左に振れたりして安定性を欠き、シミー現象やバタつき震動を起こす虞れもあった。
【０００５】
本発明は、従来の技術の有するこのような問題点に鑑みてなされたもので、その目的とするところは、旋回時に後輪が横流れせず、キックスケーターのように片足で蹴って走行する際には後輪が安定であるようなスケーターを提供することにある。
【０００６】
【課題を解決するための手段】
上記目的を達成するために、本発明におけるスケーターでは、後輪２０の首振運動を制止できるように、ベース１の後方に配設された首振軸２４に回転阻止手段が設けられ、この回転阻止手段には足操作体が結合されて、該足操作体により回転阻止手段をオン・オフしうるようになされた構成を有している。
また、請求項２のスケーターでは、首振軸２４の下端がブレーキとなされて、首振軸２４の下降により後輪２０の回転を阻止しうるようにしてある。
【０００７】
更に、請求項３のスケーターでは、回転阻止手段として、非回転昇降体（２７，２９）及びこれと噛合う勘合部（２５，２６）が設けられていることを特徴としている。
更に、請求項４のスケーターでは、後輪２０が双輪となされ、首振軸２４とで双輪キャスターを構成している。
更に、請求項５のスケーターでは、足操作体に丸孔４６と長孔４８とが形成され、両者がつながっていることを特徴としている。
【０００８】
【作用】
本発明は、上記の手段を講じたので、必要に応じて足操作体により回転阻止手段をオン・オフさせ、後輪２０の首振運動を制止することにより走行安定と旋回安定とを実現させる。
即ち、後輪２０を蛇行推進させる際には首振軸２４はフリーでなければならず、バネなどによる首振手段３による首振運動だけを許されるが、旋回時など、後輪２０に横を向いて欲しくない時には、足操作体で回転阻止手段を働かせて後輪の首振運動を止めるのである。
【０００９】
また、首振後輪２０を首振自在に保持する首振軸２４を下降させて、その下端を後輪２０に接触させることでブレーキを効かせることができる。
後輪２０は単輪でも双輪でも良いが、単輪のキャスターを流用する場合には、首振軸２４を追加してこの上部に回転阻止手段を設けてやる。また、双輪キャスターを流用する場合には、その垂直軸を首振軸２４として利用することができる。
更に、首振軸２４の回転阻止手段をオン・オフする足操作体は、足踏みし易い図１タイプのものが楽であるが、前後方向もしくは左右方向に動かし易い足動切換４２（図５・図６）としても良い。
【００１０】
【発明の実施の形態】
以下、この発明の実施の形態を図面により説明する。
図１及び図２は本発明スケーターの一例を示し、ベース１にはキャスター２が設けられており、後輪２０を首振自在に保持している。
３はスプリングによる首振手段であり、引掛部３２を介してキャスター２をベース１に対して前向きに復元するように設けられている。首振手段３は弾性ゴムやショックアブソーバを採用することもできる。
４は足動切換であり、その裏に板ばね５が設けられ、ヒンヂ６により前記ベース１に取り付けられているので、遊戯者が足で操作し、これを踏み込めるようになされている。
７は転針棒であり、これにより舵取前輪８の向きを変えることができるようになされている。直接的に転針棒７を回動させることにより舵取前輪８を動かせるか、もしくは間接的に転針棒７を傾けてベース１を傾斜させ、スケボーのような構造となされてもよい。
９は折畳手段であり、ベース１をここから折り曲げて転針棒７を後方へ倒し、運搬・保管に便利にしてある。バックル９０を操作して折畳み・組立てをワンタッチでできるように工夫してある。
図２に示すように、単輪のキャスター２では横ピン２２により金具に止められた首振軸２４の上部に六角孔２６及び丸孔２８が穿設され、これと勘合しうる六角丸頭２９が配設されている。六角丸頭２９はスライダー２９０と一体化され、足動切換４の裏に設けられた蟻溝４０に沿って動きうるようになされている。
更に、首振軸２４は横ピン２２に対して圧縮バネ２２′を介して上下運動可能に長孔保持されており、首振軸２４の下降時に後輪２０に接触しうるようになされている。
【００１１】
上記の如き構造であるから、走行中のスケーターに載っている遊戯者が足動切換４を踏み下げると六角丸頭２９が丸孔２８から六角孔２６に落ち込んで首振軸２４の首振りを阻止し、キャスター２を固定キャスターにロックする。
更に一層、足動切換４を踏み下げると圧縮バネ２２′が縮み、首振軸２４の下端が後輪２０に接触して転動を阻止し、ブレーキとなる。
足動切換４は遊戯者が踏込力を弱めると板ばね５の力で復元するので、首振軸２４は上記と逆に動いてブレーキは解除され、更には首振軸２４の回転阻止も解除される。
【００１２】
本発明スケーターの他の実施例を図３に示し、図２の回転阻止手段である六角丸頭２９と六角孔２６に代わって、クサビ２７と割溝２５とが採用されている。その他の構成は前記実施例と同様である。
本発明スケーターの更に他の実施例を図４に示し、このものは、首振後輪２０が双輪となされたもので、双輪２０の間の垂直軸２１の上方に回転阻止手段及びこれと結合した足操作体が設けられている。即ち、垂直軸２１には鍔２３が設けられてスラスト荷重を支え、上方には六角軸２３３及び細丸軸２３４が形成され、これに六角キャップ２４４が被せられている。六角キャップ２４４はコイルばね２６６と足動切換４との間で支持されると共に、内外の六角形を利用して六角ホルダー２５５で回転を阻止され、六角ソケット２４６が前記細丸軸２３４を回転自在に支えるが、降下時には前記六角軸２３３と噛合って垂直軸２１の首振を阻止するようになされている。
尚、垂直軸２１には引掛部３３が設けられ、これにスプリング等の首振手段３が設けられている。
図４の実施例のスケーターでは、首振後輪２０が双輪となされ、首振軸とで双輪キャスターを形成していることを特徴としている。
【００１３】
本発明の更に別の実施例を図５と図６に示す。
このものは、回転阻止手段としての足動切換４２をレバー式のものではなく、スライドプレート形状のものとした例で、スライダー４３が蟻溝４４によりベース１の上面を動くようになされている。
足動切換４２には丸孔４６と長孔４８とが形成され、両者はつながっている。この孔は垂直軸２１の上部に形成された平行頭軸２１４と噛合っており、丸孔はこの回転を許容し、長孔４８はこれを阻止するようになされている。
図５の実施例では、首振手段３及び引掛部３３により首振運動をする垂直軸２１の上部にネジ部２１１が形成され、ここにダブルナット２１２・２１３が設けられ、且つ鍔２３により垂直軸２１の抜けを防止している。
図５の実施例では回転阻止手段としての足動切換４２を前後方向に動かせるように配置されており、図６の実施例では足動切換４２を左右方向に動かせるように配置されている。
上記の如く足動切換４２をスライドプレート形状にすることにより、部品点数が減り、構造も簡単になる利点がある。
遊戯者はスライドプレート形状の足動切換４２をスライドさせて、垂直軸２１の首振運動を許容し、或いは阻止する。
【００１４】
【発明の効果】
本発明スケーターでは、ベース１の後方に配設された首振軸に回転阻止手段が設けられ、この回転阻止手段に裏に板ばねが設けられたレバー式足操作体が結合され、足操作体の裏に非回転昇降体が設けられ、該首振軸の上部に嵌合部が設けられ、足操作体が踏み下げられることにより該非回転昇降体と該嵌合部が勘合することで、回転阻止手段をオン・オフしうるようになされているから、遊戯者は両足を揃えて腰や尻を振り、後輪に蛇行推進運動を与えて魚のように走り、旋回する際には遊戯者は足操作体を足で操作して回転阻止手段を介して首振り運動を制止することで、小気味良く旋回することが出来る。（請求項１）
【００１５】
本発明スケーター請求項２のものでは、ベース1の後方に配設された首振軸に回転阻止手段が設けられ、この回転阻止手段にはベースの上面を動くスライドプレート形状の足操作体が結合され、丸孔とこれとつながった長孔とを有し、この孔は首振軸の上部に形成された平行頭軸と噛合っており、丸孔は首振軸の回転を許容し、長孔は首振軸の回転を阻止するものであって、足操作体を足でスライドさせ丸孔と長孔とを（又は、平行頭軸と噛合う孔を）切り換えることによって、回転阻止手段をオン・オフしうるようになされているから、遊戯者はこの足操作体を動かして簡単に後輪の首振りをオン・オフできて便利である。
【００１６】
本発明請求項３のものでは、上記首振後輪２０を首振自在に保持する首振軸２４が上下運動可能となされ、後輪２０に接触し、回転を阻止しうるようになされているから、変針、旋回時に適宜ブレーキングして安定走行に寄与することが出来る。
【００１７】
本発明請求項４のものでは、上記首振後輪２０が双輪となされ、首振軸２４とで双輪キャスターを形成しているから、市販の双輪キャスターを採用してコストダウンを図ることができ、双輪であるから安定性が良く、駆動力も大きい。
【図面の簡単な説明】
【図１】図１は本発明スケーターの一例を示す側面図である。
【図２】図１のスケーターの部分断面図である。
【図３】本発明のスケーターの他の例を示す部分断面図である。
【図４】本発明の他の例を示す部分断面図である。
【図５】本発明の更に他の例を示す部分平面図（ａ）。
本発明の更に他の例を示す部分断面図（ｂ）。
【図６】本発明の更に他の例を示す部分平面図（ａ）。
本発明の更に他の例を示す部分断面図（ｂ）。
【符号の説明】
１・・ベース
２・・キヤスター
３・・首振手段
４・・足動切換
５・・復元手段（板ばね）
６・・ヒンヂ
７・・転針棒（ハンドル）
８・・舵取前輪
９・・折畳手段
２０・・後輪
２１・・垂直軸（首振軸）
２２・・横ピン
２３・・鍔
２４・・首振軸
２５・・割溝
２６・・六角孔
２７・・クサビ
２９・・六角丸頭
３２・・引掛部
３３・・引掛部
４０・・蟻溝
４２・・足動切換
４３・・スライダー
４４・・蟻溝
４６・・丸孔
４８・・長孔
９０・・バックル
２１１・・ネジ部
２１２・・ダブルナット
２１３・・ダブルナット
２１４・・平行頭部
２３３・・六角軸
２３４・・細丸軸
２４４・・六角キャップ
２４６・・六角ソケット
２５６・・六角ホルダー
２６６・・コイルばね
２９０・・スライダー
【図１】
0004176286.tif 000002
【図２】
0004176286.tif 000003
【図３】
0004176286.tif 000004
【図４】
0004176286.tif 000005
【図５】
0004176286.tif 000006
【図６】
0004176286.tif 000007